(57)【要約】      （修正有）【課題】高さ方向のコンパクト化を図ると共に、ノズルの本数の仕様変更に容易に対応可能とすることができるノズルユニットを提供する。【解決手段】衛生洗浄装置に用いられるノズルユニット２０は、ノズル３０，１３０と、ノズルを支持する支持部材２１，１２１と、支持部材を左右両側から取り付け可能であると共に左右両面にガイド部が設けられたガイド部材２５とを備える。ノズルユニットは、ノズルと支持部材とを１つずつ設け、片面のガイド部を用いて１つのノズルを進退可能にガイドすることで、１本ノズルの構成とすることができる。また、ノズルユニットは、ノズルと支持部材とを左右に並べて２つずつ設け、両面のガイド部を用いて２つのノズルを進退可能にガイドすることで、２本ノズルの構成とすることができる。【選択図】図４
2019143454.tif 000002
【特許請求の範囲】
【請求項１】
衛生洗浄装置に用いられるノズルユニットであって、
洗浄水を噴出可能なノズルと、
前記ノズルを進退可能に支持する支持部材と、
前記ノズルを進退させる駆動部材と、
前記支持部材を左右両側から取り付け可能なガイド部材と、
を備え、
前記ノズルと前記支持部材は、それぞれ１つずつ設けられる場合と左右方向に並べて２つずつ設けられる場合とがあり、
前記ガイド部材は、左右両面に前記ノズルの進退移動をガイドするガイド部を有し、前記ノズルと前記支持部材とが１つずつ設けられる場合には１つの前記支持部材が取り付けられて片面の前記ガイド部で前記ノズルの進退移動をガイドし、前記ノズルと前記支持部材とが２つずつ設けられる場合には２つの前記支持部材が取り付けられて両面の前記ガイド部で２つの前記ノズルの進退移動をそれぞれガイドする、
ノズルユニット。
【請求項２】
請求項１に記載のノズルユニットであって、
前記ガイド部は、前記ノズルの進退方向に延びるガイド溝であり、
前記ノズルは、後端部において、前記ガイド溝に係合して該ガイド溝に沿って摺動可能に突出した突起部を有する、
ノズルユニット。
【請求項３】
請求項２に記載のノズルユニットであって、
前記突起部と前記ガイド溝は、それぞれ所定の間隔を隔てて２以上の所定数ずつ設けられている、
ノズルユニット。
【請求項４】
請求項１ないし３いずれか１項に記載のノズルユニットであって、
前記駆動部材は、ラックと、ラックに噛み合うピニオンギヤと、ピニオンギヤを駆動するモータとを有し、
前記ノズルは、前記ガイド部材とは左右方向における反対側に突出すると共に前記ラックに結合されたスライダを有し、
前記支持部材は、前記スライダと嵌合して該スライダおよび前記ラックの移動をガイドする第２ガイド溝を有する、
ノズルユニット。
【発明の詳細な説明】
【技術分野】
【０００１】
本発明は、ノズルユニットに関する。
【背景技術】
【０００２】
従来、この種のノズルユニットとしては、ノズル部と、ノズル部を進退可能に支持する支持部と、ノズル部を進退移動させる駆動部とを備えるものが提案されている（例えば、特許文献１参照）。駆動部は、ノズル部に結合された可撓ラックと、可撓ラックを進退移動させるピニオンギヤと、ピニオンギヤを駆動するモータとを有する。支持部は、ノズル部の進退移動を案内するガイドレールと、可撓ラックの進退移動を案内するラックガイドとを有しており、ガイドレールおよびラックガイドは、ノズル部の上方に配置されている。ノズル部は、可撓ラックが結合されると共にガイドレールに係合して摺動する摺動部を有し、ガイドレールに沿って進退移動する。
【先行技術文献】
【特許文献】
【０００３】
【特許文献１】国際公開第２０１４／１３６３７１号
【発明の概要】
【発明が解決しようとする課題】
【０００４】
近年、衛生洗浄便座装置では、薄型のデザインが好まれるようになっており、ノズルユニットを高さ方向にコンパクトにすることが求められている。上述した特許文献１記載のノズルユニットでは、ガイドレールおよびラックガイドがノズル部の上方に配置されているため、ユニット高さが大きくなり、高さ方向のコンパクト化を図る上で不向きである。
【０００５】
また、衛生洗浄便座装置では、ノズル部を１つ有するノズルユニットの他、例えばおしり洗浄用とビデ洗浄用とでそれぞれ独立した２つのノズル部を有するノズルユニットも提案されている。しかしながら、顧客の要望は様々であり、顧客の要望に合わせた仕様変更に迅速かつ低コストで対応することも求められている。
【０００６】
本発明のノズルユニットは、高さ方向のコンパクト化を図ると共に、ノズルの本数の仕様変更に容易に対応可能とすることを主目的とする。
【課題を解決するための手段】
【０００７】
本発明のノズルユニットは、上述の主目的を達成するために以下の手段を採った。
【０００８】
本発明のノズルユニットは、
衛生洗浄装置に用いられるノズルユニットであって、
洗浄水を噴出可能なノズルと、
前記ノズルを進退可能に支持する支持部材と、
前記ノズルを進退させる駆動部材と、
前記支持部材を左右両側から取り付け可能なガイド部材と、
を備え、
前記ノズルと前記支持部材は、それぞれ１つずつ設けられる場合と左右方向に並べて２つずつ設けられる場合とがあり、
前記ガイド部材は、左右両面に前記ノズルの進退移動をガイドするガイド部を有し、前記ノズルと前記支持部材とが１つずつ設けられる場合には１つの前記支持部材が取り付けられて片面の前記ガイド部で前記ノズルの進退移動をガイドし、前記ノズルと前記支持部材とが２つずつ設けられる場合には２つの前記支持部材が取り付けられて両面の前記ガイド部で２つの前記ノズルの進退移動をそれぞれガイドする、
ことを要旨とする。
【０００９】
この本発明の衛生洗浄装置に用いられるノズルユニットは、ノズルと、ノズルを支持する支持部材と、支持部材を左右両側から取り付け可能であると共に左右両面にガイド部が設けられたガイド部材とを備える。ノズルユニットは、ノズルと支持部材とを１つずつ設け、片面のガイド部を用いて１つのノズルを進退可能にガイドすることで、１本ノズルの構成とすることができる。また、ノズルユニットは、ノズルと支持部材とを左右に並べて２つずつ設け、両面のガイド部を用いて２つのノズルを進退可能にガイドすることで、２本ノズルの構成とすることができる。ガイド部材はノズルの側面をガイドするから、ノズルユニットの高さ方向をコンパクトにすることができる。また、ガイド部材は１本ノズルの構成と２本ノズルの構成とで共用するため、ノズルの本数の仕様変更に容易に対応することができる。
【００１０】
こうした本発明のノズルユニットにおいて、前記ガイド部は、前記ノズルの進退方向に延びるガイド溝であり、前記ノズルは、後端部において、前記ガイド溝に係合して該ガイド溝に沿って摺動可能に突出した突起部を有するものとしてもよい。この態様の本発明のノズルユニットにおいて、前記突起部と前記ガイド溝は、それぞれ所定の間隔を隔てて２以上の所定数ずつ設けられているものとしてもよい。こうすれば、ノズルとガイド部材とのがたつきを小さくし、ノズルの進退移動をよりスムーズにガイドすることができる。
【００１１】
また、本発明のノズルユニットにおいて、前記駆動部材は、ラックと、ラックに噛み合うピニオンギヤと、ピニオンギヤを駆動するモータとを有し、前記ノズルは、前記ガイド部材とは左右方向における反対側に突出すると共に前記ラックに結合されたスライダを有し、前記支持部材は、前記スライダと嵌合して該スライダおよび前記ラックの移動をガイドする第２ガイド溝を有するものとしてもよい。こうすれば、ノズルユニットの高さ方向をコンパクトにしつつ、ノズルの進退移動を左右方向における両側でガイドでき、ノズルを一層スムーズに進退移動させることができる。
【図面の簡単な説明】
【００１２】
【図１】衛生洗浄便座装置１０が取り付けられた便器１の外観図である。
【図２】本実施形態のノズルユニット２０を正面側から見た外観斜視図である。
【図３】図２のノズルユニット２０のＡ−Ａ断面を示す断面図である。
【図４】ノズルユニット２０を分解して示す分解斜視図である。
【図５】局部洗浄ノズル３０を分解して示す分解斜視図である。
【図６】ユニットケース２１に局部洗浄ノズル３０を収容した状態の外観を示す外観斜視図である。
【図７】センタープレート２５の外観を示す外観斜視図である。
【図８】ノズルユニット２０を１ノズル構成としたときの外観斜視図である。
【発明を実施するための形態】
【００１３】
本発明を実施するための形態について図面を参照しながら説明する。
【００１４】
図１は衛生洗浄便座装置１０が取り付けられた便器１の外観図であり、図２は本実施形態のノズルユニット２０を正面側から見た外観斜視図であり、図３は図２のノズルユニット２０のＡ−Ａ断面を示す断面図であり、図４はノズルユニット２０を分解して示す分解斜視図である。図１に示すように、便器１は、洋式便器であり、便器１の上面に衛生洗浄便座装置１０が設置されている。衛生洗浄便座装置１０は、便器１の後方に設置される便座装置本体１１と、便座装置本体１１に回動自在に支持された便座１２と、便座装置本体１１に回動自在に支持された便蓋１３と、使用者により操作される操作パネル１４と、を備える。
【００１５】
便座装置本体１１は、給水管（水道配管）に接続された洗浄水流路、止水弁、熱交換ユニット、洗浄の強さを調整する脈動ポンプ、洗浄水を噴出するノズルユニット２０などを備えており、これらは樹脂製のハウジング内に収容されている。熱交換ユニットは、ヒータや温度センサが設けられ、給水管からの水をヒータによって温水にする。
【００１６】
本実施形態のノズルユニット２０は、図２〜図４に示すように、左右方向に並ぶ円柱状の２つの局部洗浄ノズル３０，１３０と、各局部洗浄ノズル３０，１３０をそれぞれ駆動するノズル駆動ユニット４０，１４０と、２つの局部洗浄ノズル３０，１３０の間に配置される１つの長尺のセンタープレート２５と、センタープレート２５にそれぞれ取り付けられて局部洗浄ノズル３０，１３０の外周を覆って支持する２つのユニットケース２１，１２１と、１つのノズル洗浄器５０と、図示しない切替バルブとを備える。なお、切替バルブは、脈動ポンプよりも下流の洗浄水流路の洗浄水の供給先を２つの局部洗浄ノズル３０，１３０とノズル洗浄器５０のいずれから噴出させるかを切り替えるものであり、本実施形態では、モータにより駆動されるロータリバルブとして構成される。
【００１７】
局部洗浄ノズル３０，１３０は、本実施形態では、伸縮しない単段式のノズルであり、おしり用洗浄ノズルと、ビデ用洗浄ノズルと、により構成される。図５は、局部洗浄ノズル３０を分解して示す分解斜視図である。なお、局部洗浄ノズル１３０は、洗浄用途が異なる点を除いて局部洗浄ノズル３０と同様に構成されているため、その構成についての説明は省略する。局部洗浄ノズル３０は、図５に示すように、先端部に洗浄水の噴出口３１ｏが形成されると共に後端が開口した樹脂製円筒状のノズル本体３１と、ノズル本体３１の全体を覆うと共に先端部に噴出口３１ｏと連通する連通孔３２ｏが形成された金属製円筒状のノズルカバー３２と、ノズル本体３１の後端部にシールリング３４と共に連結されるノズルテール３３と、ノズルテール３４に連結されるホースアダプタ３５と、を備える。ホースアダプタ３５には、屈曲可能なホース３７，３８の一端が接続されており、ホース３７，３８の他端には切替バルブが接続されている。本実施形態では、ホース３７，３８のうち一方のホースは、洗浄強さが強いパワフル洗浄用のホースとして用いられ、他方のホースは、洗浄強さが弱いマイルド洗浄用のホースとして用いられる。各ホース３７，３８からホースアダプタ３５に供給される洗浄水は、仕切筒３６等によって仕切られた別経路を通過した後、同一の噴出口３１ｏに導かれ、噴出口３１ｏから噴出される。ノズルテール３４には、左右方向において互いに反対側に突出するスライダ部３３ｓと２つの突起部３３ｐとが設けられている。局部洗浄ノズル３０は、スライダ部３３ｓと２つの突起部３３ｐとがそれぞれユニットケース２１およびセンタープレート２５にガイドされることで、前後方向に進退可能となっている。
【００１８】
ノズル駆動ユニット４０，１４０は、局部洗浄ノズル３０，１３０の後方に配置されている。ノズル駆動ユニット４０は、図４に示すように、ラック４１と、ラック４１に噛合するピニオンギヤ４２と、ピニオンギヤ４２を回転駆動するモータ４３と、を備える。ラック４１は、屈曲可能な帯状の部材（フレキシブルラック）であり、その一端部は、局部洗浄ノズル３０のスライダ部３３ｓに連結されている。ノズル駆動ユニット４０は、モータ４３によりピニオンギヤ４２を回転駆動することにより、ラック４１と共に局部洗浄ノズル３０を進退可能となっている。ノズル駆動ユニット１４０は、ノズル駆動ユニット４０と同様のラック４１，ピニオンギヤ４２およびモータ４３により構成され、各構成は、ノズル駆動ユニット４０の各構成と左右対称となるように形成されている。なお、ノズル駆動ユニット１４０の各構成の説明は、ノズル駆動ユニット４０の各構成の説明と重複するから省略する。
【００１９】
ユニットケース２１，１２１は、局部洗浄ノズル３０，１３０を進退自在に支持する支持部材として構成されている。図６は、ユニットケース２１に局部洗浄ノズル３０を収容した状態の外観を示す外観斜視図である。図示するように、ユニットケース２１の先端部には、局部洗浄ノズル３０が貫通可能な環状部２１ｒが形成され、ユニットケース２１の後端部には、ノズル駆動ユニット４０のモータ４３が取り付けられるモータ取付部２１ｍが形成されている。また、ユニットケース２１の先端部と後端部との間には、局部洗浄ノズル３０の外周面を半筒状に覆う半筒状部２１ｈが形成されている。半筒状部２１ｈの後端側の上面には、局部洗浄ノズル３０の外周面との間で所定の空間２２が形成されるように上方に隆起した隆起部２１ｈａが設けられている。空間２２は、局部洗浄ノズル３０が前進した際、局部洗浄ノズル３０の前進に追従するホース３７，３８の屈曲部を上方に逃がすための空間である。本実施形態では、隆起部２１ｈａは、ノズルユニット２０が便座装置本体１１のハウジング内に設置されたときに最も高い位置にあるモータ取付部２１ｍとほぼ同じ高さとなるように設計されている。これにより、ノズルユニット２０の高さが拡大するのを抑制している。また、半筒状部２１ｈの内面には、図３に示すように、局部洗浄ノズル３０のスライダ部３３ｓとスライダ部３３ｓに連結されたラック４１とを前後方向に移動自在にガイドするラックガイド溝２１ｇ（凹溝）が形成されている。
【００２０】
また、ユニットケース２１の半筒状部２１ｈの周方向における端部には、図４，図６に示すように、複数の係合爪２１ｃが形成されている。ユニットケース２１は、複数の係合爪２１ｃがセンタープレート２５の図４中、右側に係合されることで、センタープレート２５に取り付けられる。
【００２１】
ユニットケース１２１は、図４に示すように、センタープレート２５に対して概ね左右対称となるように形成され、センタープレート２５と同様の環状部２１ｒ，半筒状部２１ｈ，ラックガイド溝２１ｇおよびモータ取付部２１ｍを有する。ユニットケース１２１の半筒状部２１ｈの周方向における端部には、ユニットケース２１と同様の複数の係合爪２１ｃが形成されている。ユニットケース１２１は、複数の係合爪２１ｃがセンタープレート２５の図４中、左側に係合されることで、センタープレート２５に取り付けられる。即ち、２つのユニットケース２１，１２１は、それぞれの係合爪２１ｃにより１つのセンタープレート２５に左右両側から取り付けられ、局部洗浄ノズル３０，１３０の外周を覆うと共に局部洗浄ノズル３０，１３０を進退自在に支持する。
【００２２】
センタープレート２５は、局部洗浄ノズル３０，１３０の間に配置されて局部洗浄ノズル３０，１３０の進退移動をガイドするものである。図７は、センタープレート２５の外観を示す外観斜視図である。センタープレート２５の上面および下面における右側には、ユニットケース２１の複数の係合爪２１ｃが係合される複数の被係合部２５ｃａが形成され、センタープレート２５の上面および下面における左側には、ユニットケース１２１の複数の係合爪１２１ｃが係合される複数の被係合部２５ｃｂが形成されている。また、センタープレート２５の左右方向における両側面には、互いに平行に延びると共に、局部洗浄ノズル３０，１３０のノズルテール３３に設けられた２つの突起部３３ｐと嵌合される２本のノズルガイド溝２５ｇが形成されている。ノズルガイド溝２５ｇは、本実施形態では、図３，図７に示すように、断面がＬ字形状のＬ字溝によって形成されている。さらに、センタープレート２５の左右方向における両側面には、２本のノズルガイド溝２５ｇの間に、局部洗浄ノズル３０，１３０の外周面に摺接するようにその外周面に沿って当接面が湾曲したはしご状のリブ２５ｓも設けられている。また、センタープレート２５の後端部には、ラック４１およびピニオンギヤ４２を収容するための収容部２５ｒが形成されている。収容部２５ｒは、ピニオンギヤ４２の外周面との間で所定の隙間を形成するように円弧状に湾曲した内周面を有し、ラック４１は、ピニオンギヤ４２の外周面と収容部２５ｒの内周面との間の隙間内を往復動可能となっている。
【００２３】
ノズル洗浄器５０は、図４に示すように、それぞれ洗浄水を噴出可能な２つの噴出口５０ｏａ，５０ｏｂが設けられている。ノズル洗浄器５０には、ホース（図示せず）の一端が接続され、当該ホースの他端には、切替バルブが接続されている。ノズル洗浄器５０は、センタープレート２５の先端部の上面に取り付けられており、当該上面に形成された開口２５ｏａ，２５ｏｂおよびユニットケース２１，１２１に形成された開口２１ｏ（図６参照）を介してそれぞれ局部洗浄ノズル３０，１３０に洗浄水を噴出する。ノズル洗浄器５０は、ユニットケース２１，１２１に局部洗浄ノズル３０，１３０が収容されているときに噴出口５０ｏａ，５０ｏｂから洗浄水を噴出することにより局部洗浄ノズル３０，１３０の噴出口３１ｏ周辺を洗浄することができる。また、ノズル洗浄器５０は、局部洗浄ノズル３０，１３０の進出中または後退中に噴出口５０ｏａ，５０ｏｂから洗浄水を噴出することにより局部洗浄ノズル３０，１３０の外周全体を洗浄することができる。
【００２４】
こうして構成されたノズルユニット２０では、図２に示すように、２つの局部洗浄ノズル３０，１３０と、２つのノズル駆動ユニット４０，１４０と、２つのユニットケース２１，１２１と、１つのセンタープレート２５と、１つのノズル洗浄器５０とにより２本ノズルの構成とすることができる他、図８に示すように、２本ノズルの構成から、局部洗浄ノズル１３０と、ノズル駆動ユニット１４０と、ユニットケース１２１とを省略することで、１本ノズルの構成とすることができる。上述したように、センタープレート２５の左右方向における両側面には、それぞれ局部洗浄ノズル３０，１３０の突起部３３ｐが嵌合するノズルガイド溝２５ｇが設けられており、１本ノズルの構成とする場合には、片面のノズルガイド溝２５ｇを用いて局部洗浄ノズル３０の進退移動をガイドすることができ、２本ノズルの構成とする場合には、両面のノズルガイド溝２５ｇを用いて局部洗浄ノズル３０，１３０のそれぞれの進退移動をガイドすることができる。このように、ユニットケース２１，１２１を左右両側から共通のセンタープレート２５に取り付け、センタープレート２５の左右両側面で局部洗浄ノズル３０，１３０の進退移動をガイドする構成とすることで、ユニット高さをコンパクトにしつつ、ノズル本数の仕様変更に容易に対応することが可能となる。なお、ノズル洗浄器５０は２つの噴出口５０ｏａ，５０ｏｂを有するから、ノズルユニット２０を１本ノズルの構成とする場合には、局部洗浄ノズル３０に対して噴出する噴出口５０ｏａとは反対側の噴出口５０ｏｂは、洗浄水を噴出できないように塞がれる。
【００２５】
以上説明した実施形態のノズルユニット２０は、局部洗浄ノズル３０，１３０をそれぞれ支持するユニットケース４０，１４０を左右両側から取付可能であると共に左右両面にノズルガイド溝２５ｇが設けられたセンタープレート２５を備える。ノズルユニット２０は、局部洗浄ノズル３０とユニットケース２１とを１つずつ設け、片面のノズルガイド溝２５ｇを用いて１つの局部洗浄ノズル３０を進退可能にガイドすることで、１本ノズルの構成とすることができる。また、ノズルユニット２０は、局部洗浄ノズル３０，１３０とユニットケース２１，１２１とを左右に並べて２つずつ設け、両面のノズルガイド溝２５ｇを用いて２つの局部洗浄ノズル３０，１３０を進退可能にガイドすることで、２本ノズルの構成とすることができる。センタープレート２５は局部洗浄ノズル３０，１３０の側面をガイドするから、局部洗浄ノズル３０，１３０の上方をガイドするものに比して、ノズルユニット２０の高さ方向をコンパクトにすることができる。また、センタープレート２５は１本ノズルの構成と２本ノズルの構成とで共用されるため、局部洗浄ノズルの本数の仕様変更に容易に対応することができる。
【００２６】
また、実施形態のノズルユニット２０は、センタープレート２５に平行に延びる２本のノズルガイド溝２５ｇを設け、局部洗浄ノズル３０，１３０に２本のノズルガイド溝２５ｇにそれぞれ嵌合される２つの突起部３３ｐを設ける。これにより、局部洗浄ノズル３０，１３０とセンタープレート２５とのがたつきを小さくし、局部洗浄ノズル３０，１３０の進退移動をよりスムーズにガイドすることができる。
【００２７】
さらに、実施形態のノズルユニット２０は、局部洗浄ノズル３０，１３０に、センタープレート２５とは左右方向における反対側に突出すると共にラック４１に結合されたスライダ部３３ｓを設け、ユニットケース２１，１２１に、スライダ部３３ｓを嵌合してスライダ部３３ｓおよびラック４１の移動をガイドするガイド溝２１ｇを設ける。これにより、ノズルユニット２０の高さ方向をコンパクトにしつつ、局部洗浄ノズル３０，１３０の進退移動を左右方向における両側でガイドでき、局部洗浄ノズル３０，１３０を一層スムーズに進退移動させることができる。
【００２８】
本実施形態では、局部洗浄ノズル３０，１３０は、金属製のノズルカバー３２を備えるものとしたが、ノズルカバー３２を備えないものとしてもよい。
【００２９】
実施形態では、センタープレート２５のノズルガイド溝２５ｇとこのノズルガイド溝２５ｇと嵌合する局部洗浄ノズル３０，１３０の突起部３３ｐとをそれぞれ２つずつ設けるものとしたが、１つであってもよいし、３つ以上設けてもよい。
【００３０】
実施形態では、センタープレート２５のノズルガイド溝２５ｇは、断面がＬ字形状のＬ字溝によって形成されるものとしたが、これに限定されるものではなく、例えば、半円形状や三角形状、矩形形状、Ｕ字形状、Ｃ字形状など、局部洗浄ノズル３０，１３０の突起部３３ｐが嵌合可能な形状であれば、他の如何なる断面形状に形成されてもよい。
【００３１】
実施形態では、センタープレート２５に局部洗浄ノズル３０，１３０のそれぞれに洗浄水を噴出可能なノズル洗浄器５０を取り付けるものとしたが、局部洗浄ノズル３０，１３０に対してノズル洗浄器を別々に設けるものとしてもよい。また、ノズル洗浄器を省略してもよい。
【００３２】
実施形態では、ユニットケース２１，１２１は、それぞれ単一の部材で形成されるものとしたが、２以上の部材で形成されてもよい。
【００３３】
実施形態では、ノズル駆動ユニット４０，１４０のラック４１は、屈曲可能なフレキシブルラックとして構成するものとしたが、これに限定されるものではなく、屈曲不能に形成されてもよい。
【００３４】
実施形態の主要な要素と課題を解決するための手段の欄に記載した発明の主要な要素との対応関係について説明する。実施形態では、局部洗浄ノズル３０，１３０が「ノズル」に相当し、ユニットケース２１，１２１が「支持部材」に相当し、ノズル駆動ユニット４０，１４０が「駆動部材」に相当し、センタープレート２５が「ガイド部材」に相当する。また、ノズルガイド溝２５ｇが「ガイド部」に相当し、突起部３３ｐが「突出部」に相当する。また、ノズルガイド溝２５ｇが「ガイド溝」にも相当する。また、ラック４１が「ラック」に相当し、ピニオンギヤ４２が「ピニオンギヤ」に相当し、モータ４３が「モータ」に相当し、スライダ部３３ｓが「スライダ」に相当し、ラックガイド溝２１ｇが「第２ガイド溝」に相当する。
【００３５】
なお、実施形態の主要な要素と課題を解決するための手段の欄に記載した発明の主要な要素との対応関係は、実施形態が課題を解決するための手段の欄に記載した発明を実施するための形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施形態は課題を解決するための手段の欄に記載した発明の具体的な一例に過ぎないものである。
【００３６】
以上、本発明を実施するための形態について実施形態を用いて説明したが、本発明はこうした実施形態に何等限定されるものではなく、本発明の要旨を逸脱しない範囲内において、種々なる形態で実施し得ることは勿論である。
【産業上の利用可能性】
【００３７】
本発明は、衛生洗浄便座装置の製造産業などに利用可能である。
【符号の説明】
【００３８】
１  便器、１０  衛生洗浄便座装置、１１  便座装置本体、１２  便座、１３  便蓋、１４  操作パネル、１５  着座センサ、２０  ノズルユニット、２１，１２１  ユニットケース、２１ｏ  開口、２１ｃ  係合爪、２１ｒ  環状部、２１ｈ  半筒状部、２１ｈａ  隆起部、２１ｍ  モータ取付部、２１ｇ  ラックガイド溝、２１ｏ  開口、２５  センタープレート、２５ｃａ，２５ｃｂ  被係合部、２５ｇ  ノズルガイド溝、２５ｓ  リブ、２５ｒ  収容部、２５ｏａ，２５ｏｂ  開口、３０，１３０  局部洗浄ノズル、３１  ノズル本体、３１ｏ  噴出口、３２  ノズルカバー、３２ｏ  連通孔、３３  ノズルテール、３３ｓ  スライダ部、３３ｐ  突起部、３４  シールリング、３５  ホースアダプタ、４０，１４０  ノズル駆動ユニット、４１  ラック、４２  ピニオンギヤ、４３  モータ、５０  ノズル洗浄器。
【図１】
2019143454.tif 000003
【図２】
2019143454.tif 000004
【図３】
2019143454.tif 000005
【図４】
2019143454.tif 000006
【図５】
2019143454.tif 000007
【図６】
2019143454.tif 000008
【図７】
2019143454.tif 000009
【図８】
2019143454.tif 000010